(57)【要約】【課題】  釣人の手を煩わせることなく短時間で水温を計測し得る水温計測装置、および釣果が得られているときの水温を魚釣用のタモ網の提供。【解決手段】  水温センサ部３５およびこれにリード線３７を介して電気的に接続する水温表示部３６を有した水温計測装置４を設け、水温センサ部３５を、魚を取込む取込み部１６の網枠体１５に取付け、水温表示部３６を、釣人が握って操作する柄７に取付け、水温表示部３６に設けた検温スイッチ５０を、魚を取込むときに釣人により操作してそのときの水温を知るようにした魚釣用のタモ網。【選択図】  図１
2005323507.tif 000002
【特許請求の範囲】
【請求項１】
水温を検出する水温センサ部と、この水温センサ部に電気的に接続されるとともに、水温センサ部で検出された水温を表示する水温表示部と、水温センサ部、水温表示部のうち少なくとも水温センサ部を、柄およびその先端部に配設される取込み部からなる魚釣用のタモ網の前記取込み部に着脱自在に取付けるための取付け部とを備えていることを特徴とする水温計測装置。
【請求項２】
水温を検出する水温センサ部と、この水温センサ部に電気的に接続されるとともに水温センサ部とは別体に設けられかつ水温センサ部で検出された水温を表示する水温表示部と、水温センサ部を、柄およびその先端部に配設される取込み部からなる魚釣用のタモ網の前記取込み部に着脱自在に取付けるための取付け部とを備えていることを特徴とする水温計測装置。
【請求項３】
水温表示部をタモ網の柄に着脱自在に取付けるための取付け部を備えていることを特徴とする請求項２記載の水温計測装置。
【請求項４】
水温センサ部に対して水温計測を開始させる信号を出力する検温スイッチが設けられていることを特徴とする請求項１〜請求項３の何れかに記載の水温計測装置。
【請求項５】
柄と、この柄の先端部に配設される取込み部と、水温計測装置とから構成され、水温計測装置は、水温を検出する水温センサ部と、この水温センサ部に電気的に接続されるとともに、水温センサ部で検出された水温を表示する水温表示部とを備え、水温センサ部、水温表示部のうち少なくとも水温センサ部が前記取込み部に設けられていることを特徴とする魚釣用のタモ網。
【請求項６】
柄と、この柄の先端部に配設される取込み部と、水温計測装置とから構成され、水温計測装置は、水温を検出する水温センサ部と、この水温センサ部に電気的に接続されるとともに水温センサ部とは別体に設けられかつ水温センサ部で検出された水温を表示する水温表示部とを備え、水温センサ部が前記取込み部に設けられ、水温表示部が前記柄に設けられていることを特徴とする魚釣用のタモ網。
【請求項７】
水温計測装置は、水温センサ部に対して水温計測を開始させる信号を出力する検温スイッチを有していることを特徴とする請求項５または請求項６の何れかに記載の魚釣用のタモ網。
【請求項８】
水温センサ部は取付け部を介して取込み部に着脱自在に設けられ、水温表示部は、取付け部を介して柄に着脱自在に設けられていることを特徴とする請求項５〜請求項７の何れかに記載の魚釣用のタモ網。
【発明の詳細な説明】
【技術分野】
【０００１】
本発明は、例えば磯や防波堤、あるいは湖沼などで行う魚釣りに適した水温計測装置、およびこれを備えた魚釣用のタモ網に関する。
【背景技術】
【０００２】
例えば磯や防波堤、あるいは湖沼などの釣行では、その場の水温を参考にして釣果を或る程度予想することがある。水温を計測するための従来の水温計測装置として、ケースの表面に温度センサ、水温表示部、スイッチ、および釣りの仕掛との係止する係止具を有するものがある。この水温計測装置は、釣人が釣場に到着して仕掛けに係止した水温計測装置を水中に所定時間だけ投入した後に引上げるようにして使用するもので、釣人は引上げた水温計測装置の水温表示部の表示から、そのときの水温を知ることができる。
【特許文献１】特開２００１−１８６８３２号公報
【発明の開示】
【発明が解決しようとする課題】
【０００３】
上記したように従来の水温計測装置は、釣人が釣場に到着して水温計測装置を水中に投入し、所定時間経過後に引上げるようにして使用されるものであるから、魚を釣る行為とは別に、水温を知るためだけに特別な作業を行う必要があり、さらに、水温計測装置を引上げるまで水温はわからならい。しかし釣場に到着したらすぐに魚釣りを始めたいのが一般的な釣人としての心情である。
【０００４】
ところで、上記のようにして水温計測装置を使用して水温を知ったとして、その後すぐに釣果が得られたとしたら、その水温は『釣果を期待できる水温』として後の釣行の参考データにすることができる。一方、釣果が得られなかったとしたら、その水温は『釣果を期待できない水温』としての参考データとなる。
【０００５】
水温は気温の変動、あるいは時間の経過とともに変動するのが一般的であるから、釣場に到着して水温を計測したすぐに後ではない例えば２時間後に釣果が得られ始めたとしたとすると、そのときの水温は、釣場に到着した際に計測した水温とは異なっていることが充分に考えられる。また、釣果が得られ始めた場合には、釣人は釣りに夢中になり、水温を計測するといった作業を行うことは考えにくい。つまり、その釣行では『釣果を期待できない水温』を知ることはできるが、『釣果を期待できる水温』を知ることがむずかしいことになる。しかし、釣人として知りたい水温は『釣果を期待できる水温』である場合が多い。
【０００６】
そこで本発明は、水温の計測を簡単に行い得る水温計測装置、および釣果が得られているときの水温を、釣人の手を煩わせることなく計測し得る魚釣用のタモ網の提供を課題とする。
【課題を解決するための手段】
【０００７】
本発明の水温計測装置は、水温を検出する水温センサ部と、この水温センサ部に電気的に接続されるとともに、水温センサ部で検出された水温を表示する水温表示部と、水温センサ部、水温表示部のうち少なくとも水温センサ部を、柄およびその先端部に配設される取込み部からなる魚釣用のタモ網の取込み部に着脱自在に取付けるための取付け部とを備えたことを特徴としている。
【０００８】
釣行において、釣果が期待できるかどうかをある程度予測するために、釣場に到着して釣人が水温を計測する場合がある。しかし釣場での水温は、気温の変動とともに変動するのが一般的であるから、釣場に到着したときに予め計測していた水温は、釣果が得られ始めたときには変動していることが考えられる。そして釣果が得られ始めると、釣人は釣りに夢中になり、水温を計測するといった作業を行うことは考えにくいことから、釣人は釣果が期待できる水温を知ることがむずかしかった。
【０００９】
しかし、上記構成のような水温センサ部を、タモ網の取込み部に取付け部を介して取付けることで、釣人が、魚が仕掛けに掛かった際に通常行ようにタモ網を使って魚を取込む動作を行うと水温センサ部が水中に没することになって水温を計測するから、釣人が水温を計測する作業を特別に行うことなく、水温表示部の表示からそのときの水温を知ることができる。そして魚を取込むときの水温は、釣果を期待できる水温として考えてよいから、釣人はそのときの水温を記録あるいは記憶することで、以後の釣行の参考データとすることができる。
【００１０】
本発明の水温計測装置は、水温を検出する水温センサ部と、この水温センサ部に電気的に接続されるとともに水温センサ部とは別体に設けられかつ水温センサ部で検出された水温を表示する水温表示部と、水温センサ部を、柄およびその先端部に配設される取込み部からなる魚釣用のタモ網の取込み部に着脱自在に取付けるための取付け部とを備えたことを特徴としている。
【００１１】
上記のように、水温センサ部と水温表示部とは別体の構成であってもよく、この場合も上記と同様に、釣人が水温を計測する作業を特別に行うことなく、魚の取込みの際に、水温表示部の表示からそのときの水温を知ることができる。
【００１２】
特に水温計測装置は、水温表示部をタモ網の柄に着脱自在に取付けるための取付け部を備えていることが好ましい。このように、水温センサ部と水温表示部とを別体として、水温センサ部をタモ網の取込み部に取付け部を介して取付け、水温表示部をタモ網の柄に取付け部を介して取付けることで、釣人が水温を計測する作業を特別に行うことなく、かつ釣人は柄にある水温表示部の表示から自分の手元位置で水温を知ることができる。
【００１３】
特に水温計測装置は、水温センサ部に対して水温検出を開始させる信号を出力する検温スイッチが設けられていることが好ましい。このように水温計測装置に検温スイッチを設けることで、釣人は魚を取込む際に検温スイッチを操作すれば、その信号が水温センサ部に出力されて水温センサが水温を検出するから、釣人は検温スイッチの操作といった簡単な作業で、かつ必要なタイミングでもって水温を知ることができる。
【００１４】
本発明の魚釣用のタモ網は、柄と、この柄の先端部に配設される取込み部と、水温計測装置とから構成され、水温計測装置は、水温を検出する水温センサ部と、この水温センサ部に電気的に接続されるとともに、水温センサ部で検出された水温を表示する水温表示部とを備え、水温センサ部、水温表示部のうち少なくとも水温センサ部が取込み部に設けられたことを特徴としている。
【００１５】
上記構成のように、取込み部に水温センサ部を取付けることで、釣人が、魚が仕掛けに掛かった際に通常行ようにタモ網を使って魚を取込む動作を行うと水温センサ部が水中に没することになって水温を計測するから、釣人が水温を計測する作業を特別に行うことなく、水温表示部の表示からそのときの水温を知ることができる。
【００１６】
また、本発明の魚釣用のタモ網は、柄と、この柄の先端部に配設される取込み部と、水温計測装置とから構成され、水温計測装置は、水温を検出する水温センサ部と、この水温センサ部に電気的に接続されるとともに水温センサ部とは別体に設けられかつ水温センサ部で検出された水温を表示する水温表示部とを備え、水温センサ部が取込み部に設けられ、水温表示部が柄に設けられたことを特徴としている。
【００１７】
上記構成のように、取込み部に水温センサ部を取付け、柄に水温表示部を取付けることで、釣人が、魚が仕掛けに掛かった際に通常行ようにタモ網を使って魚を取込む動作を行うと水温センサ部が水中に没することになって水温が計測されるから、水温を計測する作業を特別に行うことなく、かつ釣人は水温センサを水中から引上げるといった作業をすることなく、魚の取込み作業に伴い自らの手元位置で、水温表示部の表示から釣果が期待できる水温を知ることが可能となる。
【００１８】
特に、タモ網の水温計測装置は、水温センサ部に対して水温計測を開始させる信号を出力する検温スイッチを有していることが好ましい。このように構成することで、取込み部を水中に入れて魚を水面から掬うようにして取込む際に、釣人が検温スイッチをオンすることで水温を検温して水温表示部に水温が表示されるから、水温計測のために特別煩わしい作業をすることなく、単に検温スイッチをオンするといった簡単な操作でもって、魚の取込み作業に伴い釣果が期待できる水温を知ることができる。
【００１９】
特に、タモ網の水温センサ部を、取付け部を介して取込み部に着脱自在に取付け、水温表示部を、取付け部を介して柄に着脱自在に取付けた構成とすることもできる。この場合、タモ網使用後に水温計測装置を別に管理保管することが可能となる。
【００２０】
なお、上記各構成において、電気的に接続されるとはリード線等により有線的に接続される場合、あるいは電気信号により無線的に接続される場合の双方を含むものとする。さらに、検温スイッチは水温表示部と一体に設ける場合、あるいは別体に設ける場合の何れの場合も含むものとする。
【発明の効果】
【００２１】
本発明の水温計測装置によれば、タモ網を使って魚を取込む作業を行うと水温センサ部が水中に没して水温を計測するから、釣人が水温を計測する作業を特別に行うことなく、水温表示部の表示から、釣果が得られているそのときの水温を知ることができる。
【００２２】
本発明のタモ網によれば、通常行うようにタモ網を使って魚を取込む動作でもって、水温を計測するといった作業を特別に行うことなく、釣果が得られているそのときの水温を知ることができる。
【発明を実施するための最良の形態】
【００２３】
以下、本発明の実施形態に係るタモ網を、図面に基づいて説明する。このタモ網は、例えば磯釣りや防波堤釣り、あるいは湖沼釣りなどで、掛かった魚の重みで釣りの仕掛けが切断されたり、魚が針から外れるのを防止したりするために、魚を水面から掬うようにして取込むのに用いられる。
【００２４】
図１は水温計測装置を備えタモ網の斜視図、図２はタモ網の平面図、図３はタモ網の網枠体を折畳んだ状態の単体平面図、図４は水温センサ部の拡大斜視図、図５は水温表示部の拡大斜視図である。
【００２５】
図１および図２に示すように、本発明の実施形態におけるタモ網１は、柄２と、取込み部３と、水温計測装置４とから構成されている。
【００２６】
柄２は、三本の異径の筒状部材である第一番節５，第二番節６，第三番節７からなる振出し式（テレスコピック構造）であり、第一番節５，第二番節６，第三番節７の順に径が大きくなっている。柄２は、第一番節５が第二番節６に引出し自在に挿入され、第二番節６が第三番節７に引出し自在に挿入されることで伸縮自在な構成を有している。
【００２７】
第二番節６に対する第一番節５のストッパ１０は、第一番節５の基端部外周面に形成された大径部１１と、第二番節６の先端部内周面に形成された小径部１２とから構成され、大径部１１、小径部１２の端面どうしが当接することで第一番節５が第二番節６から抜止めされる。第三番節７に対する第二番節６のストッパ１０も同様の構成であり、第二番節６の基端部外周面に形成された大径部１１と、第三番節７の先端部内周面に形成された小径部１２とから構成され、大径部１１、小径部１２の端面どうしが当接することで第二番節６が第三番節７から抜止めされる。
【００２８】
取込み部３は、網枠体１５と、この網枠体１５に周囲部が挿通されることで取付けられる取込み網１６とから構成されている。網枠体１５は、第一枠材１７，第二枠材１８，第三枠材１９，第四枠材２０からなる。これら四本の枠材１７〜２０を連結ピン２５，２６，２７を介して連結することで折畳み自在に構成されている。
【００２９】
網枠体１５は、図３に示す折畳み状態から広げると、図１および図２に示すようにリング状になる構成を有している。すなわち、網枠体１５の先端部は柄２の中心軸と平行な軸心の一個の前記連結ピン２５を介して、第一枠材１７および第二枠材１８の組、第三枠材１９および第四枠材２０の組が、それぞれ網枠体１５を含む平面に直交する平面に沿う平面内で折曲可能に連結されている。
【００３０】
網枠体１５の両側部では、連結ピン２５と直角な方向の軸心の連結ピン２６，２７を介して第一枠材１７と第二枠材１８とが網枠体１５を含む平面内で互いに折曲可能に、第三枠材１９と第四枠材２０とが網枠体１５を含む平面内で互いに折曲可能に連結されている。
【００３１】
網枠体１５の第二枠材１８の端部は、止め金具３０の周方向一側に固定され、網枠体１５の第四枠材２０の端部に雄ねじ部材３１が回転自在に組付けられ、雄ねじ部材３１は止め金具３０の周方向他側に形成された雌ねじ部３２ａに着脱自在に螺合される。止め金具３０は、その基部に第一番節５の端部内周面に形成された雌ねじ部３２ｂに螺合する雄ねじ部３３を有する。
【００３２】
水温計測装置４は、取込み部３に取付けられる水温センサ部３５と、柄２の第三番節７に取付けられる水温表示部３６と、水温センサ部３５および水温表示部３６を電気的に接続するリード線３７とから構成されている。
【００３３】
図４に示すように、この実施形態では水温センサ部３５は不図示の水温検出素子を有し、取付け部としての取付けベルト３５ａによって、第一枠材１７の先端側（連結ピン２５側）に着脱自在に取付けられるのが好ましい。しかし場合によっては、第二枠材１８〜第四枠材２０の何れか、あるいは魚の取込みに邪魔にならなければ、取込み網１６の適宜の個所に取付けることも可能である。
【００３４】
図５に示すように水温表示部３６は、そのケース４０が第三番節７の基端側に形成された凹部７ａに嵌合するよう装着されるとともに、取付け部としての取付けベルト４０ａによって着脱自在に取付けられる。
【００３５】
リード線３７の取込み部側３７ａは、水温センサ部３５から第一枠材１７，第二枠材１８に沿うよう取付けベルト３８により着脱自在に取付けられる。リード線３７の柄側３７ｂは、第一番節５の胴部に形成された孔５５から導入され、第三番節７の胴部に形成された孔５６から導出される。リード線３７の柄側３７ｂのうち、柄２の内部に挿通されている部分は、コイル状に形成されて柄２の伸縮に従って伸縮可能に形成されている。
【００３６】
リード線３７の柄側３７ｂの端部に、水温表示部３６のケース４０に設けた端子４５に接続されるコネクタ４４が取付けられている。なお、前記取付けベルト３５ａ，４０ａおよび取付けベルト３８として、ファスナ（ベルベットファスナ）あるいはジップ・タイ（商品名）等の簡単な取付けベルト好適に用いられる。
【００３７】
図５に示すように、水温表示部３６は、第三番節７に取付けられる合成樹脂製の前記ケース４０の表面に、液晶ディスプレイ式の表示パネル４１と、検温開始操作片４２と、再表示用操作片４３と、前記コネクタ４４が接続される端子４５とを有する。なお、表示パネル４１に表示される内容として、水温（°Ｃ）に加え、現在日時である。
【００３８】
図６に示すように、水温表示部３６は、ケース４０の内部に、検温開始操作片４２によって操作される検温スイッチ５０と、再表示用操作片４３によって操作される再表示スイッチ５１と、水温センサ部３５および検温スイッチ５０の出力側に接続されて水温センサ部３５からの水温信号に基づいて水温を計測する機能を有する計測回路５２と、再表示スイッチ５１および計測回路５２の出力側に接続されて計測回路５２で計測された水温信号（水温）を記憶する機能を有するメモリ回路５３とを備える。
【００３９】
計測回路５２およびメモリ回路５３の出力側に、前記表示パネル４１の駆動部が接続され、計測回路５２およびメモリ回路５３は、表示パネル４１に水温信号を出力する機能を有する。
【００４０】
このようなタモ網１は、水温センサ部３５およびリード線３７の取込み部側３７ａは網枠体１５から取外し、柄１から取込み部３を取外してこれを管理保管しておくことが好ましい。また、コネクタ４４は端子４５から取外して水温表示部３６は第三番節７から取外して管理保管しておくことが好ましい。このとき、リード線３７の柄側３７ｂの柄２の内部に挿通されているコイル状部分は、その弾性により縮まって収納された状態にある。
【００４１】
次に、釣場におけるタモ網１の使用方法を説明する。まず、釣場におけるタモ網１の組立て方法を説明すると、これは、折畳まれていた網枠体１５を広げてリング状にし、取込み網１６を網枠体１５に挿通して取付けた後、止め金具３０の雌ねじ部３２ａに第四枠材２０の雄ねじ部材３１を螺合し、止め金具３０の雄ねじ部３３を第一番節５の雌ねじ部３２ｂに螺合することで取込み部３を柄２に取付ける。
【００４２】
次にリード線３７の柄側３７ｂの一部を、第一番節５に沿わせて取付けベルト３８によって第一番節５の先端部に締結固定し、さらにリード線３７の取込み部側３７ａを、第一枠材１７および第二枠材１８に沿わせながら、取付けベルト３８を第一枠材１７および第二枠材１８の所定の個所に巻掛けるようにして第一枠材１７および第二枠材１８に締結固定し、さらに第一枠材１７の先端側に水温センサ部３５を配置して、これを第一枠材１７に取付けベルト３５ａを用いて締結固定する。
【００４３】
水温表示部３６のケース４０を第三番節７の基端側の凹部７ａに嵌合装着し、取付けベルト４０ａによって固定する。リード線３７の取込み部側３７ａのコネクタ４４を端子４５に接続する。以上で釣場におけるタモ網１の組立てを終了する。なおこのとき、釣人が検温開始操作片４２を押圧操作していなければ、現在日時のみが表示されている。
【００４４】
一般に、釣場において魚が仕掛けに掛かる前では、タモ網１は第三番節７に対して第二番節６を、第二番節６に対して第一番節５を収納して柄２を縮めておき、タモ網１を所定の取り易い場所に置いておく。
【００４５】
ここで、仮に釣場に午前６時に到着した釣人が釣りを開始し、約２時間後に魚が仕掛けに掛かった場合を考える。この場合、釣人は例えば第三番節７を持ってタモ網１をある程度の速さで前方に向けて押出すようにすることで、取込み部３の重さを利用して、その慣性によって第一番節５を第二番節６に対して伸張させ、第二番節６を第三節７に対して伸長させる。このとき、柄１内に挿通しているリード線３は、コイル状に形成されているから、柄１の伸長動作に伴って伸長する。
【００４６】
ここで釣人は、取込み部３の少なくとも先端部、すなわち水温センサ部３５を取付けている部分を水中に沈み込ませるとともに、水温表示部３６の検温開始操作片４２を指で押圧し、水面まであがっている魚を掬うようにする。
【００４７】
水温センサ部３５は取込み部３の先端部に取付けてあるので、魚が掛かった際に通常行うようタモ網１の取込み部３を特別意識することなく水中に入れることで、水温センサ部３５も自ずと水中に入ることになる。
【００４８】
図７に示すように、検温開始操作片４２を押圧することで、検温スイッチ５０がオンされると、その駆動信号が計測回路５２に出力されるとともに、水中にある水温センサ部３５によって検出された水温信号が計測回路５２に出力されてこれが駆動し、計測回路５２はそのときの水温を計測して表示パネル４１に水温を出力し、表示パネル４１に水温が表示される。
【００４９】
図５では釣人が釣りを開始し、釣場に到着してから２時間１５分経過した後の現在日時２００１．０５．０３  ＡＭ８：１５および水温１５．６°Ｃを表示しており、釣人は釣場に到着した日時ではなく、魚が仕掛けに掛かったほぼそのときの日時における水温を、魚を取込む際に『釣果を期待できる水温』として知ることができる。このときの水温は、釣人が釣場に到着したときの水温ではなく、釣りを開始して２時間１５分経過し、かつ魚が釣れたときの水温である。
【００５０】
計測された水温は、表示パネル４１に出力されるとともにメモリ回路５３に出力され、メモリ回路５３は検温スイッチ５０がオンされたときの現在日時２００１年５月３日  午前８時１５分を記憶するとともに、その時の水温１５．６°Ｃを記憶する。
【００５１】
検温スイッチ５０がオンされた後、所定時間（釣人が魚を取込むのに要する時間を考慮して、例えば３分に設定）が経過すると、計測回路５２は表示パネル４１への水温表示を停止し、表示パネル４１には現在日時２００１．０５．０３  ＡＭ８：１８のみが表示された状態となる。
【００５２】
検温スイッチ５０がオンされた後に所定時間が経過し、表示パネル４１での水温表示が停止した後でも、釣人が再表示用操作片４３を押圧すると、再表示スイッチ５１がオンされ、その信号が計測回路５２に出力されて、計測回路５２はメモリ回路５３に記憶されている最新の記憶の日時２００１．０５．０３  ＡＭ８：１５、および水温１５．６°Ｃを表示パネル４１に表示させる。再表示用操作片４３が所定時間経過しても操作されない場合、計測回路５２は表示パネル４１への水温表示を停止し、表示パネル４１には現在日時のみが表示された状態となる。
【００５３】
従来の水温計測装置は、釣人が釣場に到着して水中に水温計を所定時間だけ投入した後に引上げるようにして使用するものであるから、時間が経過し、釣果が得られ始めたときの水温は、『釣果を期待できる水温』とは異なった水温になっている可能性があり、『釣果を期待できる水温』としては信用性が低いことが考えられた。
【００５４】
しかし、本発明の実施形態によれば、魚が掛かったときに使用するタモ網１の取込み部３に水温センサ部３５を設置しているから、釣人はタモ網１を使用して魚を取込む自らの動作に検温開始操作片４２を押圧操作するといった簡単な操作を加えるだけで、釣人の手を煩わせることなく、実際に魚が掛かったそのときの水温を、時間をあけず知ることができる。
【００５５】
釣人は、表示パネル４１に表示された上記水温を、記憶あるいは記録しておくことや、釣場ごとで得た上記水温を記録しておくようにすれば、『釣果を期待できる水温』が明確になり、以後の釣行の参考とすることができる。
【００５６】
なお、タモ網１を保管する場合、水温センサ部３５は第一枠材１７から取外し、リード線３７の取込み部側３７ａは第一枠材１７および第二枠材１８から取外して、水温センサ部３５、リード線３７の取込み部側３７ａは所定の巻具に巻掛けるようにしておくとよい。コネクタ４４は端子４５から抜いておき、また水温表示部３６のケース４０は、第三番節７の凹部７ａから取外して、保管しておく。
【００５７】
取込み網１６は網枠体１５から取外して保管しておき、網枠体１５は、第一番節５に対して回転させ止め金具３０の雄ねじ部３３を第一番節５の雌ねじ３２から取外すことで柄２から取外し、第四枠材２０の雄ねじ部材３１を回転させて止め金具３０の雌ねじ部３２ｂから取外し、図３に示したように折畳んで保管しておく。
【００５８】
柄２について、第三番節７に対して第二番節６を収納し、第二番節６に対して第一番節５を収納することで縮めておく。このとき、リード線３７の柄側３７ｂの柄２の内部に挿通されているコイル状部分はその弾性により縮まって収納された状態にある。
【００５９】
本発明は上記実施形態に限定されない。すなわち図８では、リード線３７の柄側３７ｂを柄２に挿通することなく外周に伸縮方向に沿わせ、取付けベルト３８でもって柄２に固定させた例である。したがってこの実施形態の場合、上記図１〜図７の実施形態で示した第一番節５の胴部の孔５５、第三番節７の胴部の孔５６は不要となる。他の構成は上記実施形態と同様であるので、同一の符号を付してその説明を省略する。
【００６０】
図８で示す実施形態では、リード線３７を柄２に沿わせるから、タモ網１の組立ておよび保管の際の作業が、リード線３７を柄２に取付けベルト３８を介して固定、あるいは取外しするといった点で異なるのみで、他の作用効果は図１〜図７に示したタモ網１と同様である。
【００６１】
図９に別のタモ網１の実施形態を示す。このタモ網１が上記実施形態と異なる部分は、取込み部３の構成であり、網枠体１５は１本の枠材をリング状に加工してその両端部を止め金３０に固定した簡易な構成を有している。水温センサ部３５は網枠体１５の先端部に固定ないし着脱自在に取付けられている。
【００６２】
網枠体１５は中空断面に形成され、リード線３７の取込み部側３７ａは、網枠体１５内に挿通され、止め金３０を挿通してリード線３７の柄側３７ｂが柄２に挿通され、リード線３７の端部が第三番節７の胴部の孔５６から導出されて、コネクタ４４が端子４５に接続されている。他の構成は、図１〜図７に示したタモ網１の構成と同様であるので、同一の符号を付してその説明を省略する。
【００６３】
図９の実施形態に示したタモ網１の使用に際して、柄２を伸長し水温センサ部３５を水中に入れ、検温開始操作片４２を押圧することで検温スイッチ５０をオンして魚を掬うように取込むと、魚が仕掛けに掛かったときの水温を知ることができる。
【００６４】
さらに、上記各実施形態の水温表示部３６に付与する別の機能は種々考えられる。例えば、コスト的に許される範囲内で、釣日の天候、上記水温とは別の気温、風力の強・中・弱、風向などの表示が考えられ、これらのデータを計測回路５２あるいは別に設けた回路からメモリ回路５３に記憶させるようにしておく。そして所定の操作によりこれらデータを必要なときに表示パネル４１に再表示させることで、今後の釣行の参考データとして使用することができる。
【００６５】
さらに、一度の釣行で複数回検温スイッチ５０がオンされた場合（複数尾の魚が釣れた場合）、その釣行の水温を平均する機能を水温表示部３６に付与し、不図示の別なスイッチを設けておいてこのスイッチがオンされた場合、上記のように平均した水温を表示パネル４１に表示すよう構成することも考えられる。
【００６６】
また、ユーザ設定機能として上記した水温、日時、天候、気温、風力、風向等のデータを、その釣人が訪れる釣場ごとに番号管理したりすることもできる。この機能は、魚の種類が同じであっても、釣場によって魚が仕掛けに掛かるときの水温を含む条件が異なる場合がある点で有用であり、今後の釣行の参考データとして釣場ごとの魚の動向を管理することが容易となる。
【００６７】
本発明の実施形態では、水温計測装置４は、タモ網１に取付けて使用したがこれに限定されることなく、タモ網１に代わる竿体に水温計測装置４を取付けて一般的に使用される水温計測装置として用いたり、あるいは取付けベルト３５ａ，３８，４０ａを省略して一般的に使用される水温計測装置として水温を計測するのに用いたりすることも可能である。
【００６８】
上記各実施形態では、水温センサ部３５と水温表示部３６とは別体としたがこれに限定されない。図１０には水温センサ部３５と水温表示部３６とを一体に設けた水温計測装置４の例を示している。
【００６９】
この水温計測装置４の場合、上記実施形態で示した検温開始操作片４２や、検温スイッチ５０は有しておらず、取付けケース６０の表面に、水温センサ部３５、表示パネル４１が配設されている。
【００７０】
取付けケース６０の内部には、水温センサ部３５からの水温信号から水温を計測して表示パネル４１に表示する不図示の回路を有し、表示パネル４１に表示される内容は上記実施形態と同様である。取付けケース６０は、取付け部としての締結具６１により第一枠材１７の先端側（連結ピン２５側）に着脱自在に取付けられる。
【００７１】
上記構成の水温計測装置４は、これが水中に没したことを検出する不図示のセンサを備えている。この構成によると、水温計測装置４が水中に没すると、該センサがそれを検出し、その検出信号をトリガとして水温センサ部３５が作動して水温を計測し、これを記憶するとともに表示パネル４１に表示する。
【００７２】
この実施形態における水温計測装置４においても、魚が掛かったときに使用するタモ網１の取込み部３に水温センサ部３５を設置しているから、釣人はタモ網１を使用して魚を取込む自らの動作によって、実際に魚が掛かったそのときの水温を、釣人の手を煩わせることなく知ることができる。
【図面の簡単な説明】
【００７３】
【図１】本発明の実施形態を示すタモ網の全体概略斜視図。
【図２】同じく概略平面図。
【図３】同じく網枠体を折畳んだ状態の平面図。
【図４】同じく水温センサを含んでこれを取付けた部分の取込み部の拡大斜視図。
【図５】同じく水温表示器を含んでこれを取付けた部分の柄の拡大斜視図。
【図６】同じく水温表示器の回路ブロック図。
【図７】同じく水温表示器の動作を示すフローチャート。
【図８】別の実施形態を示すタモ網の概略平面図。
【図９】さらに別の実施形態を示すタモ網の全体概略斜視図。
【図１０】さらに別の実施形態を示すタモ網の水温計測装置の概略斜視図。
【符号の説明】
【００７４】
１…タモ網、２…柄、３…取込み部、４…水温計測装置、１５…網枠体、１６…取込み網、３５…水温センサ、３６…水温表示器、３７…リード線
【図１】
2005323507.tif 000003
【図２】
2005323507.tif 000004
【図３】
2005323507.tif 000005
【図４】
2005323507.tif 000006
【図５】
2005323507.tif 000007
【図６】
2005323507.tif 000008
【図７】
2005323507.tif 000009
【図８】
2005323507.tif 000010
【図９】
2005323507.tif 000011
【図１０】
2005323507.tif 000012